(57)【要約】【課題】界壁を建物ユニットの特性を生かして構築することによりコスト低減効果を更に促進することのできるユニット式建物の界壁構造を提供する。【解決手段】建物ユニットを複数用いて構成されているユニット式建物において、建物ユニットの天井大梁２２及び床大梁２３は、板面が上下方向に向けられたウェブと、当該ウェブの上下両端から側方へ延びる一対のフランジとを有しており、これらウェブ及びフランジに囲まれて前記ウェブとは反対側となる側方に開口する溝部が形成された溝型鋼によって構成されている。そして、天井大梁２２及び床大梁２３の溝部内に界壁パネル９０，１００が収容されていることにより、天井裏界壁３２，３５及び床下界壁３３が構成されている。【選択図】      図４
2010126945.tif 000002
【特許請求の範囲】
【請求項１】
複数本の柱とその上下に連結される天井梁及び床梁とを有してなる建物ユニットを複数用いて構成されているユニット式建物の界壁構造であって、
天井梁及び床梁の少なくとも一部は、板面が上下方向に延びるウェブと、当該ウェブの上下両端から側方へ延びる一対のフランジとを有し、これらウェブ及びフランジに囲まれて前記ウェブとは反対側となる側方に開口する溝部が形成された溝型鋼によって構成されており、
当該溝型鋼の溝部内に界壁構成材が収容されていることにより、界壁が構成されていることを特徴とするユニット式建物の界壁構造。
【請求項２】
前記天井梁及び前記床梁のうち前記建物ユニットの外周を形成する部分が天井大梁及び床大梁となっており、当該天井大梁及び床大梁が前記溝型鋼によって構成されており、
前記天井大梁又は床大梁の一部が界壁となっていることを特徴とする請求項１に記載のユニット式建物の界壁構造。
【請求項３】
前記天井大梁には天井小梁が固定されているとともに、前記床大梁には床小梁が固定されており、
前記界壁構成材はパネル状に形成されているとともに、前記大梁の溝部内において隣り合う小梁間に前記パネル状の界壁構成材がそれぞれ収容されていることを特徴とする請求項２に記載のユニット式建物の界壁構造。
【請求項４】
建物ユニットは上下に積み重ねられており、前記建物ユニットのうち上階ユニットの溝型鋼によって形成された上階床梁と下階ユニットの溝型鋼によって形成された下階天井梁とが上下に近接して設けられており、これら上階床梁と下階天井梁とが平面視で同一箇所となるように位置決めされていることにより、前記上階床梁及び前記下階天井梁によって前記上階ユニットと下階ユニットとの連結部分に界壁が形成されていることを特徴とする請求項１乃至３のいずれか１項に記載のユニット式建物の界壁構造。
【請求項５】
下階ユニットの上部に上階ユニットを設置した場合に前記下階天井梁の上端と前記上階床梁の下端とに隙間が生じる寸法に設定されており、この隙間よりも自然状態では上下寸法の大きくかつ少なくとも上下方向への弾力性を有する隙間埋め材が介装されていることを特徴とする請求項４に記載のユニット式建物の界壁構造。
【請求項６】
複数本の柱とその上下に連結される天井梁及び床梁とを有してなる建物ユニットを複数用いて構成されているユニット式建物の界壁構造であって、
上下に積み重ねられる建物ユニットのうち上階ユニットには、前記床梁として相対する一対の床大梁が設けられており、
前記上階ユニットの床下に形成される床下界壁の両端には、前記床大梁上に引っ掛けられる引っ掛け部が設けられており、
前記引っ掛け部が前記床大梁上に引っ掛けられることにより、前記床下界壁が吊り下げ支持されていることを特徴とするユニット式建物の界壁構造。
【請求項７】
前記床大梁上には床材を下方から支持する床根太が固定されており、
前記床根太に隣接して前記引っ掛け部が配置されており、
前記床根太に前記引っ掛け部を固定又は係止することにより、前記床下界壁の位置ずれが抑制されていることを特徴とする請求項６に記載のユニット式建物の界壁構造。
【請求項８】
一対の床大梁間にこれら床大梁と直交するように複数の床小梁が平行に延びるとともに、各床小梁の両端がそれぞれ床大梁に固定されており、
前記床下界壁は、前記床小梁間に配置されていることを特徴とする請求項６又は７に記載のユニット式建物の界壁構造。
【請求項９】
複数本の柱とその上下に連結される天井梁及び床梁とを有してなる建物ユニットを複数用いて構成されているユニット式建物の界壁構造であって、
前記天井梁又は該天井梁に固定された天井面材には、当該建物ユニットの天井面材及び床面材間に延びる界壁の上端を固定する天井バッキング材が固定されており、
前記天井梁が設置されている高さ位置に天井裏界壁が配置されており、
当該天井裏界壁の下端部が前記天井バッキング材に固定されていることを特徴とするユニット式建物の界壁構造。
【請求項１０】
一対の天井大梁間にこれら天井大梁と直交するように複数の天井小梁が平行に延びるとともに、各天井小梁の両端がそれぞれ天井大梁に固定されており、
前記天井裏界壁は、前記天井小梁間に配置されていることを特徴とする請求項９に記載のユニット式建物の界壁構造。
【請求項１１】
複数本の柱とその上下に連結される天井梁及び床梁とを有してなる建物ユニットを複数用いて構成されているユニット式建物の界壁構造であって、
上下に積み重ねられる建物ユニットのうち上階ユニットには、前記床梁として相対する一対の床大梁が設けられており、
前記上階ユニットの床下に形成される上階床下界壁の両端には、前記床大梁上に引っ掛けられる引っ掛け部が設けられており、
前記引っ掛け部が前記床大梁上に引っ掛けられることにより、前記上階床下界壁が吊り下げ支持されており、
上下に積み重ねられる建物ユニットのうち下階ユニットの前記天井梁又は該天井梁に固定された天井面材には、当該下階ユニットの天井面材及び床面材間に延びる界壁の上端を固定する天井バッキング材が固定されており、
前記下階ユニットの天井梁が設置されている高さ位置に下階天井裏界壁が配置されており、
当該下階天井裏界壁の下端部が前記天井バッキング材に固定されており、
前記上階床下界壁と前記下階天井裏界壁とが平面視で同一箇所となるように位置決めされていることにより、前記上階床下界壁と前記下階天井裏界壁とによって前記上階ユニットと下階ユニットとの連結部分に界壁が形成されていることを特徴とするユニット式建物の界壁構造。
【請求項１２】
下階ユニットの上部に上階ユニットを設置した場合に前記下階天井裏界壁の上端と前記上階床下界壁の下端とに隙間が生じる寸法に設定されており、この隙間よりも自然状態では上下寸法の大きくかつ少なくとも上下方向への弾力性を有する隙間埋め材が介装されていることを特徴とする請求項１１に記載のユニット式建物の界壁構造。
【発明の詳細な説明】
【技術分野】
【０００１】
本発明は、ユニット式建物の界壁構造に関する。
【背景技術】
【０００２】
集合住宅では、住戸間に界壁を設置することが求められている。界壁は、住戸間の延焼を抑制する防火性能、住戸間の音漏れを抑制する防音性能、住戸間の人の侵入を抑制する防犯性能などを確保するためのものである。界壁は、天井裏や上下階間にも設けられている。
【０００３】
ここで、ユニット式建物における天井裏や上下階間、床下の界壁構造としては、建物ユニットの小梁と平行となるように大梁間に架け渡してなる界壁構造（例えば、特許文献１参照）や、建物ユニットの小梁と直交するように複数の小梁上に固定してなる界壁構造（例えば、特許文献２参照）等、各種の提案がなされている。
【特許文献１】特開平８−１７７１２４号公報
【特許文献２】特公平６−７２４５７号公報
【発明の開示】
【発明が解決しようとする課題】
【０００４】
ユニット式建物では、工場において建物ユニットを予め製造し、現場施工では極端に工数を減らすことにより、コスト低減効果を得ることが期待されている。コスト低減効果を得るためには、単に建物ユニットを用いるというだけではなく、界壁構造にあってもなるべく部材点数を減らすなどの改善が必要である。しかしながら、上記従来の各界壁構造にあっては建物ユニットの利点を十分に引き出しておらず、未だ改善の余地がある。
【０００５】
本発明は、上記事情に鑑みてなされたものであり、界壁を建物ユニットの特性を生かして構築することによりコスト低減効果を更に促進することのできるユニット式建物の界壁構造を提供することを主たる目的とする。
【課題を解決するための手段】
【０００６】
上記課題を解決すべく、第１の発明は、複数本の柱とその上下に連結される天井梁及び床梁とを有してなる建物ユニットを複数用いて構成されているユニット式建物の界壁構造であって、天井梁及び床梁の少なくとも一部は、板面が上下方向に延びるウェブと、当該ウェブの上下両端から側方へ延びる一対のフランジとを有し、これらウェブ及びフランジに囲まれて前記ウェブとは反対側となる側方に開口する溝部が形成された溝型鋼によって構成されており、当該溝型鋼の溝部内に界壁構成材が収容されていることにより、界壁が構成されていることを特徴とする。
【０００７】
第１の発明によれば、天井梁や床梁の少なくとも一部が溝型鋼によって形成されており、この溝型鋼を利用して界壁が形成されるので、床と天井との間の室内空間のみならず、天井裏又は床下の界壁も工場にて予め製造しておくことができる。しかも、溝型鋼の形状を利用してウェブとフランジとで囲まれた領域に界壁を構築しているため、界壁を梁内に納めることができて他のスペースを占有することがなく、空間の自由度を高めることができる。つまり、界壁を建物ユニットの特性を生かして構築することによりコスト低減効果を更に促進することができる。
【０００８】
第２の発明は、第１の発明において、前記天井梁及び前記床梁のうち前記建物ユニットの外周を形成する部分が天井大梁及び床大梁となっており、当該天井大梁及び床大梁が前記溝型鋼によって構成されており、前記天井大梁又は床大梁の一部が界壁となっていることを特徴とする。
【０００９】
第２の発明によれば、建物ユニット間の境界が界壁になる。すなわち、横並びに設置される建物ユニットであれば、それぞれの隣接する大梁に界壁構成材が納められることにより、これら隣接する大梁が全体として界壁を構成することとなる。また、上下に設置される建物ユニットであれば、それぞれの隣接する天井大梁と床大梁に界壁構成材が納められることにより、上下に並んだ天井大梁及び床大梁が一連の界壁を構成することとなる。
【００１０】
第３の発明は、第２の発明において、前記天井大梁には天井小梁が固定されているとともに、前記床大梁には床小梁が固定されており、前記界壁構成材はパネル状に形成されているとともに、前記大梁の溝部内において隣り合う小梁間に前記パネル状の界壁構成材がそれぞれ収容されていることを特徴とする。
【００１１】
第３の発明によれば、小梁が大梁に固定されている場合であり、かつ界壁構成材がパネル構造によって提供される場合であっても、小梁間となる大梁内に界壁構成材を納めることにより界壁を構成することができる。なお、大梁内において小梁が邪魔になってパネル間に隙間が生じる場合にはこれらの隙間に防音性能や防火性能を有する隙間埋め材を取り付ければよいし、隙間埋め材が弾性変形可能なものであれば寸法誤差を気にすることなく隙間を埋めることができる。これらの構成もほぼ全て建物ユニットの製造工場にて行うことができる。
【００１２】
第４の発明は、第１乃至第３のいずれか１の発明において、建物ユニットは上下に積み重ねられており、前記建物ユニットのうち上階ユニットの溝型鋼によって形成された上階床梁と下階ユニットの溝型鋼によって形成された下階天井梁とが上下に近接して設けられており、これら上階床梁と下階天井梁とが平面視で同一箇所となるように位置決めされていることにより、前記上階床梁及び前記下階天井梁によって前記上階ユニットと下階ユニットとの連結部分に界壁が形成されていることを特徴とする。
【００１３】
第４の発明によれば、上階ユニットの上階床梁と下階ユニットの下階天井梁とが近接して配置され、これらに界壁構成材が納められることにより、上下階間の空間に一連の界壁を構成することができ、上下階間の界壁の全て又は殆どを工場にて製造することができる。したがって、施工現場における工数削減効果が大きくなる。
【００１４】
第５の発明は、第４の発明において、下階ユニットの上部に上階ユニットを設置した場合に前記下階天井梁の上端と前記上階床梁の下端とに隙間が生じる寸法に設定されており、この隙間よりも自然状態では上下寸法の大きくかつ少なくとも上下方向への弾力性を有する隙間埋め材が介装されていることを特徴とする。
【００１５】
第５の発明によれば、隙間埋め材によって上下ユニットの間を埋めることにより、上階床梁と下階天井梁との間の高精度な位置決めに依存することなく、上階床梁から下階天井梁へ続く一連の階間界壁を構築することができる。
【００１６】
なお、隙間埋め材は必ずしも施工現場で取り付ける必要はなく、工場において上階床梁の下面又は下階天井梁の上面の少なくとも一方に隙間埋め材を接着等により位置決めしておけばよく、こうすることにより現場での更なる工数削減に寄与することができる。
【００１７】
第６の発明は、複数本の柱とその上下に連結される天井梁及び床梁とを有してなる建物ユニットを複数用いて構成されているユニット式建物の界壁構造であって、上下に積み重ねられる建物ユニットのうち上階ユニットには、前記床梁として相対する一対の床大梁が設けられており、前記上階ユニットの床下に形成される床下界壁の両端には、前記床大梁上に引っ掛けられる引っ掛け部が設けられており、前記引っ掛け部が前記床大梁上に引っ掛けられることにより、前記床下界壁が吊り下げ支持されていることを特徴とする。
【００１８】
第６の発明によれば、上階ユニットの床下（すなわち下階ユニットの天井裏）に当該上階ユニットの所定の床大梁と交差（好適には直交）するよう床下界壁を構築する場合において、相対する一対の上階床大梁に引っ掛け部を引っ掛けて床下界壁を吊り下げ支持させることにより、簡単に床下界壁を構築することができる。ここで、床下界壁の荷重は床大梁が受けることになるため、床下界壁の支持剛性が十分高くなり、別途支持剛性を高める部材は不要となる。したがって、建物ユニットとして既存のものを利用することができ、製造コスト面で有利となる。
【００１９】
第７の発明は、第６の発明において、前記床大梁上には床材を下方から支持する床根太が固定されており、前記床根太に隣接して前記引っ掛け部が配置されており、前記床根太に前記引っ掛け部を固定又は係止することにより、前記床下界壁の位置ずれが抑制されていることを特徴とする。
【００２０】
第７の発明によれば、床下界壁を単に床大梁に引っ掛けるだけでなく床根太に固定するようにしているので、床下界壁が振動等によって床大梁から脱落するような位置ずれを回避することができる。ここで、床大梁上に設置される床根太はもともと必要な部材であるため、固定する場合であっても固定ピン等の固定具以外は新たな部材が必要ではないため、製造コストが高騰することはない。
【００２１】
なお、床根太と引っ掛け部との関係について更に付言すれば、床根太の設置箇所を床大梁上のユニット内側より若干外側へオフセットして設けておくことにより、自ずと床大梁上のユニット内側に床下界壁の引っ掛け余裕をもたせることが可能となる。また、引っ掛け部を含めた床下界壁の高さを床根太の上端位置と同等又はそれよりも低くしておけば、上階の床面を形成する際の邪魔にならない。
【００２２】
第８の発明は、第６又は第７の発明において、一対の床大梁間にこれら床大梁と直交するように複数の床小梁が平行に延びるとともに、各床小梁の両端がそれぞれ床大梁に固定されており、前記床下界壁は、前記床小梁間に配置されていることを特徴とする。
【００２３】
第８の発明によれば、床大梁に床下界壁を吊り下げ支持させる場合に、第６又は第７の発明の効果を享受しつつ、床小梁が邪魔になることがない状態で設置することができる。
【００２４】
第９の発明は、複数本の柱とその上下に連結される天井梁及び床梁とを有してなる建物ユニットを複数用いて構成されているユニット式建物の界壁構造であって、前記天井梁又は該天井梁に固定された天井面材には、当該建物ユニットの天井面材及び床面材間に延びる界壁の上端を固定する天井バッキング材が固定されており、前記天井梁が設置されている高さ位置に天井裏界壁が配置されており、当該天井裏界壁の下端部が前記天井バッキング材に固定されていることを特徴とする。
【００２５】
第９の発明によれば、建物ユニットの天井裏（上階ユニットがある場合には上階ユニットの床下となり、上階ユニットがない場合には小屋裏となる箇所）に天井裏界壁を構築する場合において、住戸の居住空間を仕切る界壁を固定する際のビス打ち等のために用いられる天井バッキング材を兼用することで、簡単に天井裏界壁を構築することができる。ここで、天井裏界壁の荷重は天井バッキング材が受けることになるため、天井裏界壁の支持剛性が十分高くなり、別途支持剛性を高めるためだけの小梁等の部材は不要となる。したがって、建物ユニットとして既存のものを利用することができ、製造コスト面で有利となる。
【００２６】
なお、天井バッキング材は、石膏ボード等の天井面材の天井裏面に設置される合板等によって構成するのが一般的であるが、合板に限定されるものではなく、ビス打ち等に好適な材質であって耐荷重性能が天井面材よりも高いものであればよい。
【００２７】
第１０の発明は、第９の発明において、一対の天井大梁間にこれら天井大梁と直交するように複数の天井小梁が平行に延びるとともに、各天井小梁の両端がそれぞれ天井大梁に固定されており、前記天井裏界壁は、前記天井小梁間に配置されていることを特徴とする。
【００２８】
第１０の発明によれば、第９の発明の効果を享受しつつ、天井裏界壁を天井小梁が邪魔になることがない状態で設置することができる。
【００２９】
第１１の発明は、複数本の柱とその上下に連結される天井梁及び床梁とを有してなる建物ユニットを複数用いて構成されているユニット式建物の界壁構造であって、上下に積み重ねられる建物ユニットのうち上階ユニットには、前記床梁として相対する一対の床大梁が設けられており、前記上階ユニットの床下に形成される上階床下界壁の両端には、前記床大梁上に引っ掛けられる引っ掛け部が設けられており、前記引っ掛け部が前記床大梁上に引っ掛けられることにより、前記上階床下界壁が吊り下げ支持されていることを特徴とする。また、上下に積み重ねられる建物ユニットのうち下階ユニットの前記天井梁又は該天井梁に固定された天井面材には、当該下階ユニットの天井面材及び床面材間に延びる界壁の上端を固定する天井バッキング材が固定されており、前記下階ユニットの天井梁が設置されている高さ位置に下階天井裏界壁が配置されており、当該下階天井裏界壁の下端部が前記天井バッキング材に固定されていることを特徴とする。更には、前記上階床下界壁と前記下階天井裏界壁とが平面視で同一箇所となるように位置決めされていることにより、前記上階床下界壁と前記下階天井裏界壁とによって前記上階ユニットと下階ユニットとの連結部分に界壁が形成されていることを特徴とする。
【００３０】
第１１の発明によれば、第６の発明と第９の発明との効果を一挙に得ることができる。しかも、上階ユニットでは上階床下界壁を上階ユニットより下方にまで延長する必要がないし、下階ユニットでは下階天井裏界壁を下階ユニットより上方にまで延長する必要がない。したがって、予め工場において上階床下界壁や下階天井裏界壁を建物ユニットに設けておいても、それぞれの建物ユニットにおける柱の高さ範囲に納めることが可能となる。その結果、建物ユニットの製造工程や搬送工程において界壁が邪魔にならないという利点が得られる。
【００３１】
第１２の発明は、第１１の発明において、下階ユニットの上部に上階ユニットを設置した場合に前記下階天井裏界壁の上端と前記上階床下界壁の下端とに隙間が生じる寸法に設定されており、この隙間よりも自然状態では上下寸法の大きくかつ少なくとも上下方向への弾力性を有する隙間埋め材が介装されていることを特徴とする。
【００３２】
第１２の発明によれば、隙間埋め材によって上下ユニットの間を埋めることにより、下階天井裏界壁と上階床下界壁との間の高精度な位置決めに依存することなく、下階天井裏界壁から上階床下界壁へ続く一連の階間界壁を構築することができる。
【００３３】
なお、隙間埋め材は必ずしも施工現場で取り付ける必要はなく、工場において下階天井裏界壁の上面又は上階床下界壁の下面の少なくとも一方に隙間埋め材を接着等により位置決めしておけばよく、こうすることにより現場での更なる工数削減に寄与することができる。
【００３４】
以上の発明において、第１の発明における「界壁構成材」や、第６の発明における「床下界壁」、第９の発明における「天井裏界壁」、第１１の発明における「上階床下界壁」及び「下階天井裏界壁」は、それ単体でパネル構造をなした界壁パネルとして構成したものであることが、取り扱いの上で好ましい。「界壁構成材」の界壁パネルとしては、具体的には、耐火又は防火性能を有するとともに防音性能を有し、大梁の溝部内においてウェブに対向する向きに固定支持される面材（好適には複数枚重ねの石膏ボード）を備えるものが考えられる。また、その面材と大梁のウェブとの間に防音材（好適にはグラスウールやロックウール）を入れ込んだものが一層好ましい。
【００３５】
また、「床下界壁」、「天井裏界壁」、「上階床下界壁」及び「下階天井裏界壁」の界壁パネルとしては、具体的には、耐火又は防火性能を有するとともに防音性能を有する面材（好適には複数枚重ねの石膏ボード）と、その面材の一方の面に設置されて前記面材が固定支持される支持枠とを有したものが考えられる。また、その支持枠と面材とに囲まれた領域内に防音材（好適にはグラスウールやロックウール）を入れ込んだものが一層好ましい。
【００３６】
そして、第９の発明の「天井裏界壁」、第１１の発明の「下階天井裏界壁」に対してこのような界壁パネルを適用する場合、支持枠に対してビス等を打ち付けることにより界壁パネルを固定するとよい。また、第６の発明の「床下界壁」、第１１の発明の「上階床下界壁」に対してこのような界壁パネルを適用する場合、支持枠の一部（具体的には上辺に沿って延びる上辺支持枠部）を面材から更に延長することで引っ掛け部を形成することができる。
【発明を実施するための最良の形態】
【００３７】
以下、本発明を具体化した一実施形態を図面に基づいて説明する。本実施形態では、複数の住戸が集合して１棟を構成する集合住宅として建物を具体化するものとしており、特に当該建物を、鉄骨ユニット工法にて構築された２階建てユニット式建物としている。図１は、本実施形態における建物１０の概略構成を示す正面図であり、図２は、建物１０を構成する建物ユニット２０の配列を示す平面図である。
【００３８】
図１に示すように、建物１０は、基礎１１上に設けられた下階部分としての一階部分１２と、その一階部分１２の上方に隣接して設けられた上階部分としての二階部分１３と、その二階部分１３の上方に設けられた屋根部分１４とを備えている。基礎１１は、布基礎により構成されており、少なくとも建物１０の外縁部を囲む部位に連続して設けられている。そして、基礎１１の立ち上がり部の上面に一階部分１２の建物ユニット２０が設置されている。建物１０の下方には、基礎１１に囲まれるようにして床下空間１５が形成されている。
【００３９】
本実施形態では、図２に示すように、一階部分１２及び二階部分１３がいずれも６個の建物ユニット２０により構築されているものとしており、同一階に６個ずつの建物ユニット２０により４つの住戸Ａ１，Ａ２，Ａ３，Ａ４が形成されている。なお、各階のユニット数及び住戸数は任意であり、複数の建物ユニット２０により複数の住戸が形成されていればよい。
【００４０】
互いに隣接する各住戸Ａ１〜Ａ４の間（境界部）には戸境壁としての界壁３０，４０が設けられている。ここで、界壁３０は、住戸Ａ１と住戸Ａ２との間、及び住戸Ａ３と住戸Ａ４との間をそれぞれ仕切るものであり、各建物ユニット２０間のドッキングラインＤＬ（ユニット境界線）に沿って、すなわちドッキングラインＤＬと同じ位置に設けられているのに対し、界壁４０は、住戸Ａ１と住戸Ａ３との間、及び住戸Ａ２と住戸Ａ４との間をそれぞれ仕切るものであり、ドッキングラインＤＬ（ユニット境界線）に沿わず、すなわちドッキングラインＤＬと異なる位置に設けられている。なお、図２では、界壁３０があたかも各ユニット間の隙間部分に設けられているようにも見えるが、これは建物全体における界壁設置場所を示しているだけであり、設置場所等の詳細は後述する。
【００４１】
図１に示すように、界壁３０，４０は、一階部分１２の床面から屋根部分１４の野地板まで鉛直方向に延びるものとなっており、この界壁３０，４０により、隣接する住戸間における防火性能や防音性能が確保されるようになっている。
【００４２】
次に、建物ユニット２０の構成を図３を用いて説明する。建物ユニット２０は、その四隅に配設される４本の柱２１と、各柱２１の上端部及び下端部をそれぞれ連結する各４本の天井大梁２２及び床大梁２３とを備える。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして設置されている。天井大梁２２及び床大梁２３について補足すると、これらは板面が上下方向に延びるウェブと、当該ウェブの上下両端から側方へ延びる一対のフランジとを有し、これらウェブ及びフランジに囲まれてウェブとは反対側となる側方に開口する溝部が形成された溝型鋼によって構成されている。
【００４３】
建物ユニット２０の長辺部（桁部）の相対する天井大梁２２の間には、所定間隔で複数の天井小梁２５が架け渡されて固定されている。同じく建物ユニット２０の長辺部（桁部）の相対する床大梁２３の間には、所定間隔で複数の床小梁２６が架け渡されて固定されている。天井小梁２５及び床小梁２６は、それぞれ同一の間隔でかつ短辺側（妻側）の天井大梁２２及び床大梁２３に水平に設けられている。例えば、天井小梁２５はリップ溝形鋼よりなり、床小梁２６は角形鋼よりなる。天井小梁２５によって天井面材２７が支持され、床小梁２６によって床面材２８が支持されている。なお、建物１０に使用される各建物ユニット２０は、工場にてあらかじめ製造され、その後、トラック等により建築現場に運搬されるものとなっている。
【００４４】
次に、界壁３０，４０及びその周辺部の建物構造について詳細に説明する。本実施形態では、建物ユニット２０のドッキングラインＤＬと同じ位置に設けられる界壁３０と、建物ユニット２０のドッキングラインＤＬとは異なる位置に設けられる界壁４０とが各々異なる構成を有しており、界壁３０及びその周辺部の断面構成を図４に示し、界壁４０及びその周辺部の断面構成を図５に示す。図４は、図２におけるＸ１−Ｘ１断面図であり、図５は、図２におけるＸ２−Ｘ２断面図である。なお、図４、図５では、説明の便宜上、一階部分１２における建物ユニット２０の各構成要素をそれぞれ天井大梁２２Ａ、床大梁２３Ａ、天井小梁２５Ａ、床小梁２６Ａ、天井面材２７Ａ、床面材２８Ａとし、二階部分１３における建物ユニット２０の各構成要素をそれぞれ天井大梁２２Ｂ、床大梁２３Ｂ、天井小梁２５Ｂ、床小梁２６Ｂ、天井面材２７Ｂ、床面材２８Ｂとしている。また、図４、図５には、上階ユニットと下階ユニットとの境界線をスタッキングラインＳＬとして示している。
【００４５】
ここでは、界壁３０，４０の説明に先立って建物ユニット２０の細部構成を説明することとし、まずは一階部分１２の詳細な構成を説明する。
【００４６】
図４に示すように、一階部分１２の床大梁２３Ａ上（詳しくは上側のフランジ上）には、床面材２８Ａ（床材）を下方から支持する床根太５１（大梁上根太）が設けられ、その床根太５１上に床面材２８Ａがビスや釘等により固定されている。床面材２８Ａは、例えばパーティクルボード（合板）により構成されている。また、隣り合う２つの床大梁２３Ａ上に設けられる左右２つの床面材２８Ａの間には、この床面材２８Ａと面一（同一高さ）の床面を形成する床繋ぎ材５２が設けられている。床繋ぎ材５２は、床面材２８Ａと同じ材料にて形成され、床根太５１に対してビスや釘等により固定されている。床面材２８Ａ及び床繋ぎ材５２の下面側には床下断熱材５３が設けられている。また、床小梁２６Ａが設けられている部位では、図５に示すように、床小梁２６Ａ上に床根太５４（小梁上根太）が設けられ、その床根太５４上に床面材２８Ａがビスや釘等により固定されている。なお、床小梁２６Ａに対してはビスや釘等により床面材２８Ａを直接固定することも可能である。
【００４７】
一階部分１２の天井大梁２２Ａ（詳しくは下側のフランジ）には野縁５５（大梁用野縁）がビスや釘等により固定され、その野縁５５の下面に天井面材２７Ａがビスや釘等により固定されている。天井面材２７Ａは、例えば石膏ボードを２枚重ねして構成されている。また、隣り合う２つの天井大梁２２Ａに設けられる左右２つの天井面材２７Ａの間には、この天井面材２７Ａと面一（同一高さ）の天井面を形成する天井繋ぎ材５６が設けられている。天井繋ぎ材５６は、天井面材２７Ａと同じ材料にて形成され、野縁５５に対してビスや釘等により固定されている。また、天井小梁２５Ａが設けられている部位では、図５に示すように、天井小梁２５Ａに対して野縁５７（小梁用野縁）と共に天井面材２７Ａがビスや釘等により固定されている。
【００４８】
なお、床繋ぎ材５２及び天井繋ぎ材５６は、建築現場での各建物ユニット２０の据え付け後に、各ユニット２０間の床部分及び天井部分の隙間を埋めるようにして組み付けられるものとなっている。
【００４９】
次に、二階部分１３の構成を説明する。一階ユニットの上部には二階ユニットが設置されており、二階部分１３の床大梁２３Ｂが一階部分１２の天井大梁２２Ａの上方に設けられている。かかる場合、一階天井大梁２２Ａの上端部と二階床大梁２３Ｂの下端部との間に隙間が生じており、この隙間に、隙間埋め材としてのロックウール５８が圧縮状態で配設されている。ロックウール５８は、自然状態では一階天井大梁２２Ａと二階床大梁２３Ｂとの隙間よりも上下寸法が大きくかつ少なくとも上下方向への弾力性を有するものであり、下階ユニット上に上階ユニットが組み付けられる際に押し潰されて圧縮状態とされるようになっている。ロックウール５８は、優れた耐火性や防音性、断熱性を有する繊維状部材である。なお、ロックウール５８は施工現場にて取り付けることも可能であるが、ユニット製造工場において、上階側及び下階側のいずれかの建物ユニット２０の大梁にロックウール５８をあらかじめ貼り付けておくことが望ましい。
【００５０】
二階部分１３の床大梁２３Ｂ上（詳しくは上側のフランジ上）には、床面材２８Ｂ（床材）を下方から支持する床根太６１（大梁上根太）が設けられ、その床根太６１上に床面材２８Ｂがビスや釘等により固定されている。床面材２８Ｂは、例えばパーティクルボードにより構成されている。また、隣り合う２つの床大梁２３Ｂ上に設けられる左右２つの床面材２８Ｂの間には、この床面材２８Ｂと面一（同一高さ）の床面を形成する床繋ぎ材６２が設けられている。床繋ぎ材６２は、床面材２８Ｂと同じ材料にて形成され、床根太６１に対してビスや釘等により固定されている。床大梁２３Ｂと床面材２８Ｂとの間にはロックウール６３が圧縮状態で配設されている。また、床小梁２６Ｂが設けられている部位では、図５に示すように、床小梁２６Ｂ上に設けられた床根太６４（小梁上根太）にビスや釘等により床面材２８Ｂが固定されるか、又は床小梁２６Ｂに直接ビスや釘等により床面材２８Ｂが固定されている。
【００５１】
二階部分１３の天井大梁２２Ｂ（詳しくは下側のフランジ）には野縁６７（大梁用野縁）がビスや釘等により固定され、その野縁６７の下面に天井面材２７Ｂがビスや釘等により固定されている。天井面材２７Ｂは、例えば石膏ボードを２枚重ねして構成されている。また、隣り合う２つの天井大梁２２Ｂに設けられる左右２つの天井面材２７Ｂの間には、この天井面材２７Ｂと面一（同一高さ）の天井面を形成する天井繋ぎ材６８が設けられている。天井繋ぎ材６８は、天井面材２７Ｂと同じ材料にて形成され、野縁６７に対してビスや釘等により固定されている。また、天井小梁２５Ｂが設けられている部位では、図５に示すように、天井小梁２５Ｂに対して野縁６９（小梁用野縁）と共に天井面材２７Ｂがビスや釘等により固定されている。
【００５２】
なお、床繋ぎ材６２及び天井繋ぎ材６８は、一階部分１２の床繋ぎ材５２及び天井繋ぎ材５６と同様に、建築現場での各建物ユニット２０の据え付け後に、各ユニット２０間の床部分及び天井部分の隙間を埋めるようにして組み付けられるものとなっている。
【００５３】
また、本実施形態の建物１０では、屋根部分１４に屋根裏部屋が形成される構成となっており、二階部分１３の天井大梁２２Ｂの上方には、屋根裏部屋の床部を形成するための屋根裏床構成材が設置されている。詳しくは、二階部分１３の天井大梁２２Ｂ（天井桁大梁及び天井妻大梁のいずれか）には、ブラケット７１を用いて複数の床小梁７２が連結されている。そして、床小梁７２の上面に、ビスや釘等により屋根裏床面材７３が固定されている。屋根裏床面材７３の下面側にはグラスウール７４が設けられている。また、隣り合う２つの天井大梁２２Ｂの間（ウェブ間の隙間）には、端部が天井大梁２２Ｂ（詳細にはブラケット７１）と屋根裏床面材７３との間に挟まれた状態でグラスウール７５が設けられている。
【００５４】
ちなみに、図４に示す構成では、一階天井部分及び二階床部分の構成が、中央部分の界壁３０を挟んで図の左側と右側とで相違している。つまり、図の左右両側では、一階天井部分において天井面材２７Ａの厚みが異なり、かつ天井面材２７Ａの厚みが大きい方（図の右側）の天井面材２７Ａの上面にグラスウール６５が設置されている。また、図の左右両側では、二階床部分の床材の構成が異なっており、図の右側では床面材２８Ｂがパーティクルボードと石膏ボードとにより構成されるとともに、その上面に仕上げ床材６６が積層状態で設置されている。
【００５５】
上記構成では、特に図の右側部分にて、上下階の各居室間において防火性能及び防音性能が高められる。ゆえに、図の右側の構成は、上下階が異なる住戸となる場合に好適な構成であり、図の左側の構成は、上下階が同一の住戸となる場合に好適な構成であると言える。
【００５６】
次に、「界壁３０」について説明する。図４に示すように、界壁３０は、一階床部分から順に、一階居室界壁３１、一階天井裏界壁３２、二階床下界壁３３、二階居室界壁３４、二階天井裏界壁３５及び屋根裏界壁３６に分別できる。これら各界壁３１〜３６について説明する。なお、本実施形態では、図４に示す左右一対の壁構成体により界壁３０が構成されている。
【００５７】
一階居室界壁３１は、一階部分１２において天井面材２７Ａの下面（天井面）と床面材２８Ａの上面（床面）との間、すなわち一階の居室空間部を水平方向に複数に仕切る高さ位置に設けられている。詳しくは、一階居室界壁３１は、建物ユニット２０の天井面材２７Ａに設けられた上側下地材８１と、床面材２８Ａに設けられた下側下地材８２との間に壁面材８３を架け渡して取り付けたものである。壁面材８３は、例えば石膏ボードを２枚重ねして構成されている。壁面材８３の裏面には、耐火性、遮音性等に優れた被覆材であるロックウール８４が設けられている。
【００５８】
また、一階天井裏界壁３２は、一階部分１２の天井大梁２２Ａに一体に設けられている。一階天井裏界壁３２は、天井大梁２２Ａにおいて上下一対のフランジとその間のウェブとにより囲まれた梁内空間部（溝形鋼の溝部）に界壁構成体としての界壁パネル９０が収容されることで構成されており、その詳細を図６を用いて説明する。図６は一階天井裏界壁３２の詳細を示す斜視図であり、（ａ）は、天井大梁２２Ａに対する界壁パネル９０の組み付け前の状態を示し、（ｂ）は界壁パネル９０の組み付け後の状態を示し、（ｃ）は界壁パネル９０の分解状態を示す。なお、図６中の符号９６は天井小梁２５Ａを天井大梁２２Ａに連結するためのブラケットである。
【００５９】
図６（ｃ）に示すように、界壁パネル９０は、例えば石膏ボードを２枚重ねして構成される壁面材９１と、壁面材９１と略同じ大きさ（略同じ縦横寸法）を有しその片面に重ねられる板状のグラスウール９２と、グラスウール９２の一部を切り欠いた部位（本実施形態ではグラスウール９２の長手方向両端部）に組み付けられるブロック状の下地材９３とからなり、これらが一体化されることで構成されている。
【００６０】
そして、図６（ａ）（ｂ）に示すように、グラスウール９２を天井大梁２２Ａ（天井桁大梁）のウェブに対向させ、かつグラスウール９２と大梁ウェブとの間に所定の隙間が形成されるようにして、界壁パネル９０が天井大梁２２Ａに組み付けられている。このとき、下地材９３の位置に合わせて天井大梁２２Ａの外側からビスや釘等が打ち込まれることで、天井大梁２２Ａに界壁パネル９０が固定されている。天井大梁２２Ａ（天井桁大梁）には所定間隔でブラケット９６により天井小梁２５Ａが連結されており、この天井小梁２５Ａに干渉しないように複数に分断されて界壁パネル９０が組み付けられている。界壁パネル９０が分断されて形成される隙間部分と柱２１の側面部とには、それぞれブロック状のロックウール９４が組み付けられている。ロックウール９４は、防火性能や防音性能を有する隙間埋め材として構成されるものであり、さらに柔軟性を有する（弾性変形可能である）ことから、少なくとも上記隙間部分よりも大きい寸法とし、寸法誤差を気にすることなく隙間を埋めることができるものとなっている。
【００６１】
ユニット製造工場においては、一階部分１２の建物ユニット２０に、一階居室界壁３１を構成する一方の壁構成体（壁面材８３等）と、一階天井裏界壁３２を構成する一方の界壁パネル９０とが一体に設けられるようになっている。
【００６２】
図４の説明に戻り、二階床下界壁３３は、二階部分１３の床大梁２３Ｂに一体に設けられている。二階床下界壁３３は、床大梁２３Ｂにおいて上下一対のフランジとその間のウェブとにより囲まれた梁内空間部（溝形鋼の溝部）に界壁構成体としての界壁パネル１００が収容されることで構成されており、その詳細を図７を用いて説明する。図７は二階床下界壁３３の詳細を示す斜視図であり、（ａ）は、床大梁２３Ｂに対する界壁パネル１００の組み付け前の状態を示し、（ｂ）は界壁パネル１００の組み付け後の状態を示し、（ｃ）は界壁パネル１００の分解状態を示す。なお、図７中の符号１０６は床小梁２６Ｂを床大梁２３Ｂに連結するためのブラケットである。
【００６３】
図７（ｃ）に示すように、界壁パネル１００は、例えば石膏ボードを２枚重ねして構成される壁面材１０１と、壁面材１０１と略同じ大きさ（略同じ縦横寸法）を有しその片面に重ねられる板状のグラスウール１０２と、グラスウール１０２の一部を切り欠いた部位（本実施形態ではグラスウール１０２の長手方向両端部）に組み付けられるブロック状の下地材１０３とからなり、これらが一体化されることで構成されている。
【００６４】
そして、図７（ａ）（ｂ）に示すように、グラスウール１０２を床大梁２３Ｂ（床桁大梁）のウェブに対向させ、かつグラスウール１０２と大梁ウェブとの間に所定の隙間が形成されるようにして、界壁パネル１００が床大梁２３Ｂに組み付けられている。このとき、下地材１０３の位置に合わせて床大梁２３Ｂの外側からビスや釘等が打ち込まれることで、床大梁２３Ｂに界壁パネル１００が固定されている。床大梁２３Ｂ（床桁大梁）には所定間隔でブラケット１０６により床小梁２６Ｂが連結されており、この床小梁２６Ｂに干渉しないように複数に分断されて界壁パネル１００が組み付けられている。界壁パネル１００が分断されて形成される隙間部分と柱２１の側面部とには、それぞれブロック状のロックウール１０４が組み付けられている。ロックウール１０４は、防火性能や防音性能を有する隙間埋め材として構成されるものであり、さらに柔軟性を有する（弾性変形可能である）ことから、少なくとも上記隙間部分よりも大きい寸法とし、寸法誤差を気にすることなく隙間を埋めることができるものとなっている。
【００６５】
再び図４の説明に戻る。二階居室界壁３４は、二階部分１３において天井面材２７Ｂの下面（天井面）と床面材２８Ｂの上面（床面）との間、すなわち二階の居室空間部を水平方向に複数に仕切る高さ位置に設けられている。この二階居室界壁３４は、上述した一階居室界壁３１と同様の構成を有しており、図４には、二階居室界壁３４の構成を一階居室界壁３１と同じ部材番号を付して示し、ここではその説明を割愛する。
【００６６】
また、二階天井裏界壁３５は、二階部分１３の天井大梁２２Ｂに一体に設けられている。この二階天井裏界壁３５は、上述した一階天井裏界壁３２と同様の構成を有しており、図４には、天井大梁２２Ｂにおいて上下一対のフランジとその間のウェブとにより囲まれた梁内空間部（溝形鋼の溝部）に界壁パネル９０（詳細は図６参照）が収容された構成が示されている。ここではその説明を割愛する。
【００６７】
ユニット製造工場においては、二階部分１３の建物ユニット２０に、二階床下界壁３３を構成する一方の界壁パネル１００と、二階居室界壁３４を構成する一方の壁構成体（壁面材８３等）と、二階天井裏界壁３５を構成する一方の界壁パネル９０とが一体に設けられるようになっている。
【００６８】
屋根裏界壁３６は、屋根部分１４において野地板（図示略）の下面と屋根裏床面材７３の上面との間、すなわち屋根裏空間部を水平方向に複数に仕切る高さ位置に設けられている。この屋根裏界壁３６は、上述した一階居室界壁３１と同様の構成を有しており、図４には、屋根裏界壁３６の構成を一階居室界壁３１と同じ部材番号を付して示し、ここではその説明を割愛する。
【００６９】
次に、「界壁４０」について説明する。図５に示すように、界壁４０は、一階床部分から順に、一階居室界壁４１、一階天井裏界壁４２、二階床下界壁４３、二階居室界壁４４、二階天井裏界壁４５及び屋根裏界壁４６に分別できる。これら各界壁４１〜４６のうち、一階居室界壁４１及び二階居室界壁４４は、界壁３０の一階居室界壁３１及び二階居室界壁３４と構成が同一である。そのため、これら各界壁４１，４４については、図５にいずれも同じ部材番号（図４と同じ部材番号）を付して示し、ここではその説明を割愛する。以下には、界壁３０とは異なる構成である一階天井裏界壁４２、二階床下界壁４３、二階天井裏界壁４５及び屋根裏界壁４６について構成を詳細に説明する。なお、本実施形態では、図５に示す左右一対の壁構成体により界壁４０が構成されている。
【００７０】
上述したとおり界壁４０は、建物ユニット２０のドッキングラインＤＬとは異なる位置に設けられるものであり、図５には、天井大梁２２や床大梁２３が示されておらず、それに代えて天井小梁２５や床小梁２６が示されている。また、図５に示す左右一対の壁構成体は各々構成が異なっており、図の左側の壁構成体は天井小梁２５や床小梁２６の設置位置にこれらと一体に設けられ、図の右側の壁構成体は天井小梁２５や床小梁２６の設置位置から離れてこれらと別体に設けられている。つまり、天井小梁２５や床小梁２６の設置間隔（取付ピッチ）が例えば約５００ｍｍであるの対し、界壁４０の幅（すなわち、左右一対の壁構成体の設置間隔）が例えば約２５０ｍｍであることから、左右一対の壁構成体のうち少なくとも一方が天井小梁２５や床小梁２６の設置位置から離れてこれら小梁とは別体に設けられるようになっている。
【００７１】
界壁４０についてまずは一階天井裏界壁４２の構成を説明する。一階天井裏界壁４２は、一階部分１２の天井大梁２２Ａが設置されている高さ位置において、天井面材２７Ａの上方に界壁パネル１１０が設置されることで構成されており、その詳細を図８を用いて説明する。図８は一階天井裏界壁４２の詳細を示す斜視図であり、（ａ）は界壁パネル１１０の組み付け後の状態を示し、（ｂ）は界壁パネル１１０の単体を示し、（ｃ）は界壁パネル１１０の分解状態を示す。
【００７２】
図８（ｂ）（ｃ）に示すように、界壁パネル１１０は、例えば石膏ボードを２枚重ねして構成される壁面材１１１と、壁面材１１１と略同じ大きさ（略同じ縦横寸法）を有する矩形状の枠体１１２（支持枠）と、その枠体１１２の枠内部に組み込まれる板状のグラスウール１１３とからなり、これらが一体化されることで構成されている。枠体１１２は、例えば木質形材料よりなる角材を四辺に組み合わせて構成されるものである。グラスウール１１３は、枠体１１２の内周面との隙間がなくかつ壁面材１１１に当接させた状態で枠体１１２に組み込まれている。界壁パネル１１０の縦寸法（高さ寸法）は天井大梁２２Ａの縦寸法（ウェブ高さ寸法）と略同じであり、横寸法（長手方向寸法）は、短辺側（妻側）の天井大梁２２Ａの長さ寸法と略同じである。なお、壁面材１１１と枠体１１２とは、壁面材１１１側からビスや釘等が打ち込まれることで一体化されている（図５参照）。
【００７３】
そして、図８（ａ）に示すように、対向する２つの天井大梁２２Ａ（天井桁大梁）に直交する向きに、すなわち天井小梁２５Ａと同方向（平行）に延びる向きに界壁パネル１１０が取り付けられている。ここで、天井面材２７Ａの上面にはバッキング材１１５が設置されており、そのバッキング材１１５の上に界壁パネル１１０が設置されている（図５参照）。バッキング材１１５は、一階居室界壁４１の上端部（上側下地材８１）を天井面材２７Ａに固定するために用いられる下地板材である。バッキング材１１５は、例えばパーティクルボードにより構成され、一方の辺が、対向する２つの天井大梁２２Ａ（天井桁大梁）間の長さ寸法であり、他方の辺が、隣り合う２つの天井小梁２５Ａ間の長さ寸法である矩形板状をなしている。そして、界壁パネル１１０の枠体１１２に対してステープルや釘等を打ち込み、これをその下方のバッキング材１１５及び天井面材２７Ａに貫通させることで界壁パネル１１０が固定されている。
【００７４】
なお、バッキング材１１５を天井大梁２２Ａ又は天井小梁２５Ａに固定することも可能である。バッキング材１１５はパーティクルボード（合板）に限定されるものではなく、ビス打ち等に好適な材質であって耐荷重性能が天井面材よりも高いものであれば適用が可能である。
【００７５】
上記のように界壁パネル１１０を取り付けた場合、界壁パネル１１０の長手方向端部と天井大梁２２Ａ（天井桁大梁）のウェブとの間には隙間が形成される。そこで、この隙間にブロック状のロックウール１１６が組み付けられている。これにより、向かい合う２つの天井大梁２２Ａの間において、一階天井裏界壁４２とその両端部のいずれの部位においても優れた防火性能と防音性能とが確保されるようになっている。
【００７６】
図５において、一階天井裏界壁４２を構成する左右一対の界壁パネル１１０のうち、図の右側の界壁パネル１１０（天井小梁２５Ａから離れて設けられる界壁パネル１１０）については上述した図８の構成がそのまま適用できる。これに対し、図の左側の界壁パネル１１０（天井小梁２５Ａと同位置に設けられる界壁パネル１１０）については図８とは構成が若干相違する。すなわち、図の左側の界壁パネル１１０は、天井小梁２５Ａに載せた状態で設けられ、その天井小梁２５Ａの高さ分だけ、枠体１１２の縦寸法（高さ寸法）が小さくなっている。また、壁面材１１１の縦寸法は枠体１１２の縦寸法に対して大きくなっており、壁面材１１１の下端部が天井小梁２５Ａの開口部（リップ溝形鋼の溝開口部）を覆い隠す状態となっている。そして、界壁パネル１１０の枠体１１２に対してビスや釘等を打ち込み、これをその下方の天井小梁２５Ａに貫通させることで界壁パネル１１０が固定されている。なお、天井小梁２５Ａのウェブ外側にはグラスウール１１７が取り付けられており、天井小梁２５Ａは、縦方向の両面（溝開口部側とウェブ外側）がそれぞれ壁面材１１１とグラスウール１１７とにより挟まれる状態となっている。
【００７７】
ユニット製造工場においては、一階部分１２の建物ユニット２０に、一階居室界壁４１を構成する左右一対の壁構成体（壁面材８３等）と、一階天井裏界壁４２を構成する左右一対の界壁パネル１１０とが一体に設けられるようになっている。
【００７８】
次に、二階床下界壁４３の構成を説明する。二階床下界壁４３は、二階部分１３の床大梁２３Ｂが設置されている高さ位置において、床面材２８Ｂの下方に界壁パネル１２０が設置されることで構成されており、その詳細を図９を用いて説明する。図９は二階床下界壁４３の詳細を示す斜視図であり、（ａ）は界壁パネル１２０の組み付け後の状態を示し、（ｂ）は界壁パネル１２０の単体を示し、（ｃ）は界壁パネル１２０の分解状態を示す。
【００７９】
図９（ｂ）（ｃ）に示すように、界壁パネル１２０は、例えば石膏ボードを２枚重ねして構成される壁面材１２１と、壁面材１２１と略同じ大きさ（略同じ縦横寸法）を有する矩形状の枠体１２２（支持枠）と、その枠体１２２の枠内部に組み込まれる板状のグラスウール１２３とからなり、これらが一体化されることで構成されている。枠体１２２は、例えば木質形材料よりなる角材を四辺に組み合わせて構成されるものであり、上辺部の角材が他の部位よりも長手方向に張り出していることで、長手方向両端部にそれぞれ張出部１２２ａが形成されている。グラスウール１２３は、枠体１２２の内周面との隙間がなくかつ壁面材１２１に当接させた状態で枠体１２２に組み込まれている。界壁パネル１２０の縦寸法（高さ寸法）は床大梁２３Ｂの縦寸法（ウェブ高さ寸法）と略同じである。また、界壁パネル１２０の横寸法（長手方向寸法）は、枠体１２２の張出部１２２ａを除く部位が短辺側（妻側）の天井大梁２２Ａの長さ寸法と略同じであり、枠体１２２の張出部１２２ａが短辺側（妻側）の天井大梁２２Ａの長さ寸法よりも大きくなっている。なお、壁面材１２１と枠体１２２とは、壁面材１２１側からビスや釘等が打ち込まれることで一体化されている（図５参照）。
【００８０】
そして、図９（ａ）に示すように、対向する２つの床大梁２３Ｂ（床桁大梁）に直交する向きに、すなわち床小梁２６Ｂと同方向（平行）に延びる向きに界壁パネル１２０が取り付けられている。ここで、界壁パネル１２０は、枠体１２２の張出部１２２ａを床大梁２３Ｂ（床桁大梁）のフランジ上に載せた状態で設置されている。この場合、張出部１２２ａは引っ掛け部として機能し、この張出部１２２ａが床大梁２３Ｂ上に引っ掛けられることにより、界壁パネル１２０が吊り下げ支持されている。詳しくは、床大梁２３Ｂ（床桁大梁）のフランジ上には、図示のとおりその長手方向に沿って床根太６１が取り付けられているが、フランジ先端部には床根太６１が載っていない余り部分があり、その余り部分に張出部１２２ａを載せて、すなわち張出部１２２ａを床根太６１に近接させて界壁パネル１２０が設置されている。そして、枠体１２２の張出部１２２ａと床根太６１とに対してステープルや釘等を打ち込んで床根太６１に枠体１２２を連結することにより界壁パネル１２０が固定されている。なお、ステープルや釘等の固定具により枠体１２２を床根太６１に連結固定する以外に、枠体１２２と床根太６１との係止結合等により床根太６１に枠体１２２を連結する構成、枠体１２２を床大梁２３Ｂに直接連結する構成も可能である。
【００８１】
ここで、床根太６１の設置箇所を床大梁２３Ｂ上のユニット内側より若干外側へオフセットして設けておくことが望ましく、これにより自ずと床大梁２３Ｂ上のユニット内側に界壁パネル１２０の引っ掛け余裕をもたせることが可能となる。また、張出部１２２ａ（引っ掛け部）を含めた界壁パネル１２０の高さを床根太６１の上端位置と同等又はそれよりも低くしておけば、上階の床面を形成する際の邪魔にならない。
【００８２】
上記のように界壁パネル１２０を取り付けた場合、界壁パネル１２０の長手方向端部と床大梁２３Ｂ（床桁大梁）のウェブとの間には隙間が形成される。そこで、この隙間にブロック状のロックウール１２５が組み付けられている。これにより、向かい合う２つの床大梁２３Ｂの間において、二階床下界壁４３とその両端部のいずれの部位においても優れた防火性能と防音性能とが確保されるようになっている。
【００８３】
図５において、二階床下界壁４３を構成する左右一対の壁構成体のうち、図の右側の壁構成体（床小梁２６Ｂから離れて設けられる壁構成体）については上述した図９の界壁パネル１２０がそのまま適用できる。これに対し、図の左側の壁構成体（床小梁２６Ｂと同位置に設けられる壁構成体）については図９とは構成が相違する。すなわち、図の左側の壁構成体は、床小梁２６Ｂとその上の床根太６４とを挟んでそれら両側に設けられる壁面材１２７とグラスウール１２８とを備えて構成されている。この場合、壁面材１２７の縦寸法は、床小梁２６Ｂ及び床根太６４の両方の縦寸法よりも大きくなっており、壁面材１２７の下端部が床小梁２６Ｂよりも下方に突き出る状態となっている。壁面材１２７の下端部（床小梁２６Ｂよりも下方に突き出た部分）には合板１２９がビスや釘等により固定されている。
【００８４】
一階ユニットの上部に二階ユニットが設置された場合には、一階天井裏界壁４２の上端部と二階床下界壁４３の下端部との間に隙間が生じており、この隙間に、隙間埋め材としてのロックウール１１８が圧縮状態で配設されている。すなわち、図の右側の壁構成体では、一階天井裏界壁４２の界壁パネル１１０の上面と二階床下界壁４３の界壁パネル１２０の下面との間の隙間にロックウール１１８が配設され、図の左側の壁構成体では、一階天井裏界壁４２の界壁パネル１１０の上面と二階床下界壁４３の壁面材１２７の下面との間の隙間にロックウール１１８が配設されている。ロックウール１１８は、自然状態では一階天井裏界壁４２と二階床下界壁４３との隙間よりも上下寸法が大きくかつ少なくとも上下方向への弾力性を有するものであり、下階ユニット上に上階ユニットが組み付けられる際に押し潰されて圧縮状態とされるようになっている。ロックウール１１８は、優れた耐火性や防音性、断熱性を有する繊維状部材である。なお、ロックウール１１８は施工現場にて取り付けることも可能であるが、ユニット製造工場において、上階側及び下階側のいずれかの建物ユニット２０の界壁（壁構成体）にロックウール１１８をあらかじめ貼り付けておくことが望ましい。
【００８５】
二階天井裏界壁４５は、図の左右で異なる壁構成体を有する構成となっている。図の右側の壁構成体は、一階天井裏界壁４２として設けられた界壁パネル１１０（詳細は図８参照）が設置されることで構成されている。一階天井裏界壁４２との主な違いは、界壁パネル１１０の高さ寸法が相違する（二階天井裏界壁４５の方が高さ寸法が小さい）ことであり、図５には、二階天井裏界壁４５として、一階天井裏界壁４２と同じ番号を付した界壁パネル１１０を組み付けた構成が示されている。また、界壁パネル１１０が、二階居室界壁４４の上端部（上側下地材８１）を天井面材２７Ｂに固定するためのバッキング材１１５に固定される構成も上述したとおりである。
【００８６】
また、二階天井裏界壁４５において、図の左側の壁構成体（天井小梁２５Ｂと同位置に設けられる壁構成体）は、天井小梁２５Ｂとその下の野縁６９とを挟んでそれら両側に設けられる壁面材１３１とグラスウール１３２とを備えて構成されている。また、天井小梁２５Ｂの上面には下地木１３３が設けられており、この下地木１３３にビスや釘等により壁面材１３１が固定されている。
【００８７】
ユニット製造工場においては、二階部分１３の建物ユニット２０に、二階床下界壁４３を構成する左右一対の壁構成体（図５において右側の界壁パネル１２０、及び左側の壁面材１２７等）と、二階居室界壁４４を構成する左右一対の壁構成体（壁面材８３等）と、二階天井裏界壁４５を構成する左右一対の壁構成体（図５において右側の界壁パネル１１０、及び左側の壁面材１３１等）とが一体に設けられるようになっている。
【００８８】
屋根裏界壁４６は、屋根裏床面材７３を挟んで下方の壁構成体（屋根裏床下界壁部とも言える）と上方の壁構成体（屋根裏床上界壁部とも言える）とから構成されている。まずは屋根裏床面材７３の下方の壁構成体について説明する。
【００８９】
屋根裏床面材７３の下方の壁構成体（屋根裏床下界壁部）は、上記同様、左右一対の構成となっており、そのうち図の右側は、二階床下界壁４３として設けられた界壁パネル１２０（詳細は図９参照）が設置されることで構成されている。二階床下界壁４３との主な違いは、界壁パネル１２０の高さ寸法が相違する（屋根裏界壁４６の方が高さ寸法が小さい）ことであり、図５には、屋根裏界壁４６の屋根裏床下界壁部として、二階床下界壁４３と同じ番号を付した界壁パネル１２０を組み付けた構成が示されている。なお、本構成では、界壁パネル１２０が、枠体１２２の張出部１２２ａを天井大梁２２Ｂ（天井桁大梁）のフランジ上に載せた状態で設置されている。
【００９０】
また、屋根裏床面材７３の下方において、図の左側の壁構成体（屋根裏床用の床小梁７２と同位置に設けられる壁構成体）は、床小梁７２を挟んでその両側に設けられる壁面材１３５とグラスウール１３６とを備えて構成されている。本構成では、床小梁７２にビスや釘等により壁面材１３５が固定されている。
【００９１】
屋根裏床面材７３の上方の壁構成体（屋根裏床上界壁部）は、屋根部分１４において野地板（図示略）の下面と屋根裏床面材７３の上面との間、すなわち屋根裏空間部を水平方向に複数に仕切るものである。これは、上述した界壁３０の屋根裏界壁３６と同様の構成を有しており、図５には、界壁３０の屋根裏界壁３６と同じ部材番号を付した構成が示されている。
【００９２】
二階天井裏界壁４５と屋根裏界壁４６との間には、ロックウール１３８が圧縮状態で配設されている。すなわち、図の右側の壁構成体では、二階天井裏界壁４５の界壁パネル１１０の上面と屋根裏界壁４６の界壁パネル１２０の下面との間の隙間にロックウール１３８が配設され、図の左側の壁構成体では、天井小梁２５Ｂ及び壁面材１３１の上面と床小梁７２及び壁面材１３５の下面との間の隙間にロックウール１３８が配設されている。ロックウール１３８は、自然状態では二階天井裏界壁４５と屋根裏界壁４６との隙間（下階ユニット上に上階ユニットを載置した状態で当該部位に生じる隙間）よりも上下寸法が大きくかつ少なくとも上下方向への弾力性を有するものであり、上階ユニット上に、屋根部分１４を構成する屋根ユニットが組み付けられる際に押し潰されて圧縮状態とされるようになっている。ロックウール１３８は、優れた耐火性や防音性、断熱性を有する繊維状部材である。なお、ロックウール１３８は施工現場にて取り付けることも可能であるが、ユニット製造工場において、上階ユニット及び屋根ユニットのいずれかの界壁（壁構成体）にロックウール１３８をあらかじめ貼り付けておくことが望ましい。
【００９３】
次に、建物１０の床下構造について説明する。本実施形態では、床下構造として、隣り合う２つの住戸間の床下における人の移動を阻止するとともに、それら住戸間の床下における空気の流通を許容する阻止部が設けられている。以下、その詳細を説明する。
【００９４】
図１０は、建物１０の床下部分の構成を示す断面図である。この図１０は、図２におけるＸ１−Ｘ１線での床下断面図、すなわち各建物ユニット２０間のドッキングラインＤＬ（ユニット境界線）に沿って設けられる界壁３０を横切る部分の床下断面図である。これは、図４に示す界壁３０の下方の床下構造を示す断面図である。
【００９５】
図１０に示すように、一階部分１２の２つの床大梁２３Ａの上方において床面材２８Ａ上には、上述したとおり界壁３０（建物ユニット２０のドッキングラインＤＬと同じ位置に設けられる界壁）が設けられている。建物１０の床下空間１５においては、床大梁２３Ａが床面材２８Ａから下方に突出するようにして設けられている。また、同じく床下空間１５において、２つの床大梁２３Ａの下方、すなわち界壁３０の真下位置には、一階部分１２の床大梁２３Ａの長手方向に沿って、すなわち床大梁２３Ａに平行となる向きに、阻止部としての床下仕切壁１５０が設けられている。床下仕切壁１５０は、地面より上方に突出するコンクリート製の立ち上がり部として構成されている。
【００９６】
具体的には、地中には採石層Ｇ１と捨てコンクリート層Ｇ２とが上下二層に設けられ、その捨てコンクリート層Ｇ２の上に床下仕切壁１５０が形成されている。床下仕切壁１５０は、複数の直方体状のコンクリートブロック１５１を積み上げて構成されており、その上端部の高さ位置が基礎１１の上端部と同じになっている。より詳しくは、床下仕切壁１５０は、複数積み上げたコンクリートブロック１５１の配筋孔内に補強材としての縦筋材を配した状態でコンクリートを打設することにより構成されている。
【００９７】
図１０の構成では、２つの床大梁２３Ａと床下仕切壁１５０とは互いに離間して設けられ、それら床大梁２３Ａと床下仕切壁１５０との間には、床下空間１５における空気の流通を許容するための隙間ＣＬ１が形成されている。この隙間ＣＬ１は、人の通過が不可能でありかつ床下換気上、有効な隙間寸法Ｄ１を有するものとして形成されている。具体的には、隙間寸法Ｄ１は、換気上有効な隙間は９ｍｍ以上でよいが、本実施形態では施工性、配線・配管の施工作業性を考慮して３０〜１００ｍｍ程度としている。
【００９８】
なお、図示の構成では、２つの床大梁２３Ａの中央に床下仕切壁１５０が配置されているが、いずれか一方の床大梁２３Ａに偏って配置されていてもよい。また、床下仕切壁１５０の上端部の高さ位置は、基礎１１の上端部と同じでなくてもよく、基礎１１の上端部よりも高い構成、或いは低い構成であってもよい。この場合、床下仕切壁１５０の上端部の高さ位置を高くすることで、床大梁２３Ａと床下仕切壁１５０とが所定の隙間分だけ離間しかつ床下仕切壁１５０が床大梁２３Ａのウェブに対向する構成としてもよい。要は、床大梁２３Ａと床下仕切壁１５０との間に、人の通過が不可能でありかつ床下換気上、有効な隙間寸法を有する隙間ＣＬ１が形成されていればよい。
【００９９】
また、図１１は、図２におけるＸ２−Ｘ２線での床下断面図、すなわち各建物ユニット２０間のドッキングラインＤＬ（ユニット境界線）とは異なる位置に設けられる界壁４０を横切る部分の床下断面図である。これは、図５に示す界壁４０の下方の床下構造を示す断面図である。
【０１００】
図１１に示すように、一階部分１２において床面材２８Ａ上には、上述したとおり界壁４０（建物ユニット２０のドッキングラインＤＬとは異なる位置に設けられる界壁）が設けられている。建物１０の床下空間１５においては、床小梁２６Ａが床面材２８Ａから下方に突出するようにして設けられている。また、同じく床下空間１５において、界壁４０の真下位置には、一階部分１２の床小梁２６Ａの長手方向に沿って、すなわち床小梁２６Ａに平行となる向きに、阻止部としての床下仕切壁１５５が設けられている。床下仕切壁１５５は、上述した床下仕切壁１５０と同様、地面より上方に突出するコンクリート製の立ち上がり部として構成されており、捨てコンクリート層Ｇ２の上に形成されている。床下仕切壁１５５は、複数の直方体状のコンクリートブロック１５６を積み上げて構成されており、その上端部の高さ位置が基礎１１の上端部と同じになっている。床下仕切壁１５５は、床下仕切壁１５０と同様、複数積み上げたコンクリートブロック１５６の配筋孔内に補強材としての縦筋材を配した状態でコンクリートを打設することにより構成されている。
【０１０１】
図１１の構成では、床小梁２６Ａと床下仕切壁１５５とは互いに離間して設けられ、それら床小梁２６Ａと床下仕切壁１５５との間には、床下空間１５における空気の流通を許容するための隙間ＣＬ２が形成されている。この隙間ＣＬ２は、人の通過が不可能でありかつ床下換気上、有効な隙間寸法Ｄ２を有するものとして形成されている。具体的には、隙間寸法Ｄ２は、換気上有効な隙間は９ｍｍ以上でよいが、本実施形態では施工性、配線・配管の施工作業性を考慮して３０〜１００ｍｍ程度としている。
【０１０２】
なお、床下仕切壁１５５の上端部の高さ位置は、基礎１１の上端部と同じでなくてもよく、基礎１１の上端部よりも高い構成、或いは低い構成であってもよい。この場合、床下仕切壁１５５の上端部の高さ位置を高くすることで、床小梁２６Ａと床下仕切壁１５５とが所定の隙間分だけ離間しかつ床下仕切壁１５５が床小梁２６Ａの縦辺部に対向する構成としてもよい。要は、床小梁２６Ａと床下仕切壁１５５との間に、人の通過が不可能でありかつ床下換気上、有効な隙間寸法を有する隙間ＣＬ２が形成されていればよい。
【０１０３】
図１２は、界壁３０，４０に沿って設けられる床下仕切壁１５０，１５５の設置レイアウトを示す平面図である。図１２には、前述の図２と同様、６つの建物ユニット２０により同一階に４つの住戸Ａ１〜Ａ４が形成されている構成を示しており、床下仕切壁１５０は住戸Ａ１−Ａ２及び住戸Ａ３−Ａ４間に設けられ、床下仕切壁１５５は住戸Ａ１−Ａ３間及び住戸Ａ２−Ａ４間に設けられている。
【０１０４】
図１２に示すように、床下仕切壁１５０は、建物ユニット２０の長辺側（桁側）のユニット境界部に沿って設けられているのに対し、床下仕切壁１５５は、床下仕切壁１５０と直交する向き（長手方向が直交する向き）で、建物ユニット２０の短辺側（妻側）のユニット境界部から離れた位置に設けられている。これらは、界壁３０，４０の設置位置と同様である。また、床下仕切壁１５０，１５５は、それぞれ界壁３０，４０に沿って複数設けられ、各床下仕切壁１５０の間、各床下仕切壁１５５の間にはそれぞれ隙間ＣＬ３が形成されている。つまり、床下仕切壁１５０，１５５は、界壁に沿って延びるとともに所定間隔をおいて設置された複数の壁部として構成されている。
【０１０５】
隙間ＣＬ３は、配管や配線を通すことが可能で、かつ人の通り抜け（侵入）が不可能である幅寸法を有するものであり、例えば壁長手方向の幅が、１５０〜２００ｍｍ程度に定められている。これにより、床下仕切壁１５０，１５５は、床下空間１５において空気の流通に加え、配管や配線を通すことを許容するように設定されている。
【０１０６】
以上詳述した本実施形態によれば、以下の優れた効果が得られる。
【０１０７】
ユニットドッキングラインＤＬ（ユニット境界線）に沿って設けられる界壁３０として、建物ユニット２０の天井大梁２２及び床大梁２３が溝形鋼により構成されることを利用し、その溝型鋼の溝部内に界壁パネル９０，１００を収容することにより天井裏界壁３２，３５及び床下界壁３３を構成した。これにより、各建物ユニット２０の室内空間の界壁（居室界壁）のみならず、天井裏又は床下の界壁も工場にて予め製造しておくことができる。しかも、溝型鋼の形状を利用してウェブとフランジとで囲まれた領域に天井裏界壁３２，３５及び床下界壁３３を構築しているため、これら各界壁を大梁内に納めることができて他のスペースを占有することがなく、空間の自由度を高めることができる。その結果、コスト低減効果を一層促進することができる。
【０１０８】
界壁パネル９０，１００を、天井大梁２２及び床大梁２３の溝部内において隣り合う天井小梁２５間又は床小梁２６間にて分断させてそれぞれ収容する構成としたため、界壁パネル９０，１００が複数の天井小梁２５間又は床小梁２６を横切る方向に設置される場合にも、天井大梁２２及び床大梁２３の長手方向に沿って各界壁パネル９０，１００を好適に設置できる。また、各小梁２５，２６により形成される隙間部分（界壁パネルの分断部分）に隙間埋め材としてのロックウール９４，１０４が設ける構成としたため、天井大梁２２，床大梁２３の長手方向のいずれの部位においても優れた防火性能と防音性能とが確保されるようになっている。
【０１０９】
上階ユニットの床大梁２３Ｂと下階ユニットの天井大梁２２Ａとを上下に近接して設け、これら各大梁２３Ｂ，２２Ａを平面視で同一箇所となるように位置決めし、かつ各大梁２３Ｂ，２２Ａによって上階ユニットと下階ユニットとの連結部分に天井裏界壁３２と床下界壁３３を形成したため（図４参照）、上下階間の空間に一連の階間界壁を構成することができる。また、その階間界壁の全て又は殆どを工場にて製造することができるため、施工現場における工数削減効果が大きくなる。
【０１１０】
下階側の天井大梁２２Ａの上端部と上階側の床大梁２３Ｂの下端部とに生じる隙間に隙間埋め材としてのロックウール５８を介装する構成としたため、床大梁２３Ｂと天井大梁２２Ａとの間の位置決め精度に関係なく、床大梁２３Ｂから天井大梁２２Ａにかけての階間界壁の一連性を高めることができる。つまり、階間界壁の防火・防音性能を一層高めることが可能となる。また、工場において上下何れかの大梁にロックウール５８を接着等により位置決めしておくことにより現場での更なる工数削減に寄与することができる。
【０１１１】
ユニットドッキングラインＤＬ（ユニット境界線）とは異なる位置に設けられる界壁４０として、界壁パネル１２０の一部を床大梁２３Ｂにより吊り下げ支持することで二階床下界壁４３を構成したため、その床下界壁４３を、上階ユニットの床下にて床大梁２３Ｂと交差（好適には直交）させた状態としつつ簡易に構築することができる。ここで、二階床下界壁４３の荷重が床大梁２３Ｂにより支えられるため、床下界壁４３を支えるための十分な支持剛性が確保でき、別途支持剛性を高める部材は不要となる。したがって、建物ユニット２０として既存のものを利用することができ、製造コスト面で有利となる。
【０１１２】
二階床下界壁４３の固定手段として、界壁パネル１２０の枠体１２２に設けた張出部１２２ａと床大梁２３Ｂ上の床根太６１とを連結固定する構成としたため、二階床下界壁４３の位置ずれを抑制できる。この場合、二階床下界壁４３を単に床大梁２３Ｂに引っ掛けるだけでなく床根太６１に固定するようにしているので、二階床下界壁４３が振動等によって床大梁２３Ｂから脱落するような位置ずれを回避することができる。床大梁２３Ｂ上に設置される床根太６１はもともと必要な部材であるため、固定具以外は新たな部材が必要ではないため、製造コストが高騰することはない。
【０１１３】
二階床下界壁４３が床小梁２６Ｂ間に配置されているため、床大梁２３Ｂに界壁パネル１２０を吊り下げ支持させる場合に、界壁パネル１２０を設置する上での簡易さを確保しつつ、床小梁２６Ｂが邪魔になることがない状態での界壁パネル１２０の設置が可能となる。
【０１１４】
また、ユニットドッキングラインＤＬ（ユニット境界線）とは異なる位置に設けられる界壁４０として、居室界壁４１，４４の上端部を天井面材２７に固定するためのバッキング材１１５を用いこのバッキング材１１５上に界壁パネル１１０を固定して天井裏界壁４２，４５を構成したため、居室界壁固定用に通常用いられる天井バッキング材を兼用しつつ、簡単に天井裏界壁４２，４５を構築することができる。ここで、天井裏界壁４２，４５の荷重がバッキング材１１５により支えられるため、天井裏界壁４２，４５を支えるための十分な支持剛性が確保でき、別途支持剛性を高めるためだけの小梁等の部材は不要となる。したがって、建物ユニット２０として既存のものを利用することができ、製造コスト面で有利となる。
【０１１５】
天井裏界壁４２，４５が天井小梁２５間に配置されているため、バッキング材１１５上に界壁パネル１１０を固定する場合に、界壁パネル１１０を設置する上での簡易さを確保しつつ、天井小梁２５が邪魔になることがない状態での界壁パネル１１０の設置が可能となる。
【０１１６】
二階床下界壁４３と一階天井裏界壁４２とを平面視で同一箇所となるように位置決めし、かつこれら各界壁４２，４３によって上階ユニットと下階ユニットとの連結部分に階間界壁を形成したため（図５参照）、上下階間の空間に一連の階間界壁を構成することができる。また、上階ユニットでは二階床下界壁４３を上階ユニットより下方にまで延長する必要がないし、下階ユニットでは一階天井裏界壁４２を下階ユニットより上方にまで延長する必要がない。したがって、予め工場において各界壁４２，４３を建物ユニット２０に設けておいても、それぞれの建物ユニット２０における柱の高さ範囲に納めることが可能となる。その結果、建物ユニット２０の製造工程や搬送工程において界壁が邪魔にならないという利点が得られる。
【０１１７】
一階天井裏界壁４２の上端部と二階床下界壁４３の下端部とに生じる隙間に隙間埋め材としてのロックウール１１８を介装する構成としたため、一階天井裏界壁４２と二階床下界壁４３との間の位置決め精度に関係なく、一階天井裏界壁４２から二階床下界壁４３にかけての階間界壁の一連性を高めることができる。つまり、階間界壁の防火・防音性能を一層高めることが可能となる。また、工場において上下何れかの大梁にロックウール１１８を接着等により位置決めしておくことにより現場での更なる工数削減に寄与することができる。
【０１１８】
［他の実施形態］
本発明は上記実施形態の記載内容に限定されず、例えば次のように実施されてもよい。
【０１１９】
・上記実施形態では、ユニットドッキングラインＤＬ（ユニット境界線）に沿って設けられる界壁３０を、建物ユニット２０の長辺部の大梁材（天井桁大梁、床桁大梁）に沿って設ける構成としたが（図２，図６，図７参照）、これを変更し、建物ユニット２０の短辺部の大梁材（天井妻大梁、床妻大梁）に沿って設ける構成としてもよい。これは、建物ユニット２０の短辺側のドッキングラインＤＬに沿って界壁３０が設けられる場合のことである。つまり、天井裏界壁３２，３５として設けられる界壁パネル９０は、短辺側の天井大梁２２Ａ，２２Ｂの梁内空間部（溝形鋼の溝部）に収容される。かかる場合、界壁パネル９０は、天井小梁２５Ａ，２５Ｂに平行となる向きに設けられることとなる。また、床下界壁３３として設けられる界壁パネル１００は、短辺側の床大梁２３Ｂの梁内空間部（溝形鋼の溝部）に収容される。かかる場合、界壁パネル１００は、床小梁２６Ｂに平行となる向きに設けられることとなる。なお、短辺側の天井大梁又は床大梁に一体に界壁パネルが設けられる場合、図６や図７のように界壁パネルが小梁材により分断されることがなく、２つの柱間で連続する一体物の界壁パネルを組み付けることが可能となる。
【０１２０】
・上記実施形態では、建物ユニット２０を構成する天井大梁２２及び床大梁２３を全て溝形鋼としたが、そのうち一部のみが溝形鋼である構成を採用してもよい。例えば、界壁３０（ユニットドッキングラインＤＬに沿って設けられる界壁）が一体に設けられる部位については溝形鋼を用い、他の部位については角形鋼を用いる構成としてもよい。
【０１２１】
・上記実施形態では、界壁３０（ユニットドッキングラインＤＬに沿って設けられる界壁）と、界壁４０（ユニットドッキングラインＤＬとは異なる位置に設けられる界壁）とを共に有する建物を例示したが、戸境壁として界壁３０のみを有する建物、又は戸境壁として界壁４０のみを有する建物を実現することも可能である。
【０１２２】
・上記実施形態では、２階建てユニット式建物に本発明を適用したが、平屋建てユニット式建物や３階以上の階層を有するユニット式建物など、他の形式の建物に本発明を適用することも可能である。
【図面の簡単な説明】
【０１２３】
【図１】実施形態における建物の概略構成を示す正面図。
【図２】建物を構成する建物ユニットの配列を示す平面図。
【図３】建物ユニットの構成を示す斜視図。
【図４】界壁及びその周辺部の断面構成を示す断面図。
【図５】界壁及びその周辺部の断面構成を示す断面図。
【図６】一階天井裏界壁の詳細を示す斜視図。
【図７】二階床下界壁の詳細を示す斜視図。
【図８】一階天井裏界壁の詳細を示す斜視図。
【図９】二階床下界壁の詳細を示す斜視図。
【図１０】建物の床下部分の構成を示す断面図。
【図１１】建物の床下部分の構成を示す断面図。
【図１２】界壁に沿って設けられる床下仕切壁の設置レイアウトを示す平面図。
【符号の説明】
【０１２４】
１０…建物、２０…建物ユニット、２１…柱、２２…天井大梁（天井梁）、２３…床大梁（床梁）、２５…天井小梁（天井梁）、２６…床小梁（床梁）、２７…天井面材、２８…床面材、３０…界壁、３２…一階天井裏界壁、３３…二階床下界壁、３５…二階天井裏界壁、４０…界壁、４２…一階天井裏界壁、４３…二階床下界壁、４５…二階天井裏界壁、５１，６１…床根太、５８…ロックウール（隙間埋め材）、９０…界壁パネル（界壁構成材）、９１…壁面材、９２…グラスウール、１００…界壁パネル（界壁構成材）、１０１…壁面材、１０２…グラスウール、１１０…界壁パネル、１１１…壁面材、１１２…枠体、１１３…グラスウール、１１５…バッキング材、１１８…ロックウール（隙間埋め材）、１２０…界壁パネル、１２１…壁面材、１２２…枠体、１２２ａ…張出部（引っ掛け部）、１２３…グラスウール、Ａ１〜Ａ４…住戸。
【図１】
2010126945.tif 000003
【図２】
2010126945.tif 000004
【図３】
2010126945.tif 000005
【図４】
2010126945.tif 000006
【図５】
2010126945.tif 000007
【図６】
2010126945.tif 000008
【図７】
2010126945.tif 000009
【図８】
2010126945.tif 000010
【図９】
2010126945.tif 000011
【図１０】
2010126945.tif 000012
【図１１】
2010126945.tif 000013
【図１２】
2010126945.tif 000014